【手続補正書】
【提出日】平成17年8月9日(2005.8.9)
【手続補正１】
【補正対象書類名】明細書
【補正対象項目名】特許請求の範囲
【補正方法】変更
【補正の内容】
【特許請求の範囲】
【請求項１】
回転する機械部品に取り付けて使用するトーン・リング・アッセンブリであって、
前記アッセンブリは、異なる速度で回転すると、異なる電圧出力を発生させることができる回転可能なトーン・リングと、前記トーン・リングと近接した位置であるが離れた場所に、向かい合うよう固定された磁気センサー・アッセンブリがあり、
前記回転する機械部品は、軸方向内側部分と軸方向外側部分があり、周りを取り巻く軸受装置の中で動くようになっており、
前記トーン・リングは、軸方向に伸びる本体部分を有し、回転により電圧出力を発することができる複数の部分が付帯されており、
前記トーン・リングが軸方向に大幅に移動することを阻止するためのラジアル・フランジが少なくともひとつある保持器があり、
前記トーン・リングには、前記車軸をしっかりと嵌合するための、直径が小さくなった軸方向に伸びる複数のリブが内径部にあり、
前記リブの間には、軸方向の直径がより大きくなったスペースがあってオイルの通路となり、オイルが前記トーン・リング・アッセンブリ内を軸方向に貫通できるようになっている
ことを特徴とするトーン・リング・アッセンブリ。
【請求項２】
内部に軸方向に伸びる多数のランド部と溝を有し、回転により異なった電圧出力のできる
ことを特徴とする請求項１に記載のトーン・リング・アッセンブリ。
【請求項３】
前記トーン・リングは、軸方向に長くなるような配置で、一定間隔を置いて円周上に配置された多数の磁気帯を備えており、回転により異なった電圧出力を発生させることができる
ことを特徴とする請求項１に記載のトーン・リング・アッセンブリ。
【請求項４】
前記トーン・リング本体には、軸方向上一番外側にラジアル・フランジが形成された
ことを特徴とする請求項１に記載のトーン・リング・アッセンブリ。
【請求項５】
前記保持器上にある少なくともひとつのラジアル・フランジが、ふたつのラジアル・フランジから成っている
ことを特徴とする請求項１に記載のトーン・リング・アッセンブリ。
【請求項６】
前記の保持器は、全般的にL字型である半径方向内側の保持部分と、全般的にL字型である半径方向外側の保持部分の２つのピースからなり、両部分が組み合わされ、半径方向内側と外側のラジアル・フランジからなるU字型のアッセンブリを形成している
ことを特徴とする請求項５に記載のトーン・リング・アッセンブリ。
【請求項７】
前記の保持器が、二つの別個の部分が押し付けられて嵌めあわされた金属製の保持器である
ことを特徴とする請求項６に記載のトーン・リング・アッセンブリ。
【請求項８】
前記保持器の前記半径方向外側部分が、前記保持器の前記半径方向内側部分よりも、厚い寸法の金属でできている
ことを特徴とする請求項７に記載のトーン・リング・アッセンブリ。
【請求項９】
前記保持器が、熱可塑性プラスチックまたは熱硬化性プラスチック素材で作られている
ことを特徴とする請求項１に記載のトーン・リング・アッセンブリ。
【請求項１０】
結合する車軸への取り付けを容易にするため、前記トーン・リング・アッセンブリの内径部の軸方向に伸びる前記リブが斜角をつけた端部を有している
ことを特徴とする請求項１に記載のトーン・リング・アッセンブリ。
【請求項１１】
前記トーン・リングの一方の端と前記保持器のひとつのフランジ間に使用されるスペーサーを有し、前記スペーサーは、前記トーン・リングと少なくとも時々接触するときもノイズを生じないような、低摩擦素材でできている
ことを特徴とする請求項１に記載のトーン・リング・アッセンブリ。
【請求項１２】
前記保持器の前記少なくともひとつのラジアル・フランジは、軸方向内側に向き、減摩用素材にてコーティングされたフランジを前記保持器上に有する
ことを特徴とする請求項１に記載のトーン・リング・アッセンブリ。
【請求項１３】
前記トーン・リング本体は、前記保持器のラジアル・フランジと嵌合するよう調整されたラジアル・フランジ部分を有し、前記本体の前記ラジアル・フランジは、直径の異なった複数の領域があり、前記保持器のラジアル・フランジには、退避エリアがあり、前記スペーサーには、複数の独立した歯状部があり、前記歯状部は、前記保持器の軸方向外側のラジアル・フランジによって嵌合可能になっており、オイルが前記退避エリア及び前記歯状部エリアを通って通過できるようになっている
ことを特徴とする請求項１１に記載のトーン・リング・アッセンブリ。
【請求項１４】
前記スペーサーがプラスチック素材で作られている
ことを特徴とする請求項１１に記載のトーン・リング・アッセンブリ。
【請求項１５】
前記スペーサーの少なくとも一部が、ハード・グリース・ブロックで作られている
ことを特徴とする請求項１１に記載のトーン・リング・アッセンブリ。
【請求項１６】
前記トーン・リング本体の前記ラジアル・フランジの軸方向最も外側部分に、低摩擦のコーティング素材が使われている
ことを特徴とする請求項４に記載のトーン・リング・アッセンブリ。
【請求項１７】
前記ラジアル・フランジが、前記トーン・リング本体の残りの部分とは違った素材でできた、部品を組み合わせてできた金属製フランジである
ことを特徴とする請求項４に記載のトーン・リング・アッセンブリ。
【請求項１８】
軸方向全般にオイルが流れるよう、前記スペーサーが、外側の直径の連続がとぎれている
ことを特徴とする請求項１１に記載のトーン・リング・アッセンブリ。
【請求項１９】
前記トーン・リングの少なくとも前記リブの部分は、NBR（ニトリルゴム）とEPDM（エチレン・プロピレン・ゴム）の混合でできたエラストマーである
ことを特徴とする請求項１に記載のトーン・リング・アッセンブリ。
【請求項２０】
前記トーン・リングの前記リブが、NBR（ニトリルゴム）、HNBR（水素化ニトリルゴム）、EPDM（エチレン・プロピレン・ゴム）、AEM（エチレン・アクリルゴム）及びACM（アクリル酸エステルゴム）からなるグループの中からどれかひとつ選ばれたエラストマーでできている
ことを特徴とする請求項１に記載のトーン・リング・アッセンブリ。
【請求項２１】
前記トーン・リングの前記内径は、乾燥PTFEのコーティングを含む
ことを特徴とする請求項１に記載のトーン・リング・アッセンブリ。
【請求項２２】
前記トーン・リングの前記内径の前記リブが、熱硬化性プラスチックまたは熱可塑性素材で作られた
ことを特徴とする請求項１に記載のトーン・リング・アッセンブリ。
【請求項２３】
前記トーン・リングの前記内径は、オイル、グリース及びアルキルリン酸アンモニウムからなるグループのうちからひとつ選ばれた湿性潤滑剤でのコーティングを含む
ことを特徴とする請求項１に記載のトーン・リング・アッセンブリ。
【請求項２４】
前記保持器の前記ラジアル・フランジは、オイルが貫通できるような切欠き部を含む
ことを特徴とする請求項４に記載のトーン・リング・アッセンブリ。
【請求項２５】
前記本体は、その前記外側のフランジ上に、直径が段をつけられている
ことを特徴とする請求項４に記載のトーン・リング・アッセンブリ。
【請求項２６】
前記トーン・リングは、さらに、前記保持器のフランジに触れることなく車軸のたわみを最大限に許容できるよう、前記ラジアル・フランジと前記本体の半径方向上相対する部分にエアギャップを有する
ことを特徴とする請求項４に記載のトーン・リング・アッセンブリ。
【請求項２７】
結合された車軸を取り除いても、その車軸または別の車軸をもとのトーン・リングと保持器アッセンブリに取り付けられることが可能な
ことを特徴とする請求項１に記載のトーン・リング・アッセンブリ。
【請求項２８】
前記トーン・リング・アッセンブリは、車軸取り付けの全工程の間に、車軸の上に取り付けられ、前記トーン・リング本体と前記保持器上の前記フランジとの間の干渉により所定の位置に保持されることができる
ことを特徴とする請求項４に記載のトーン・リング・アッセンブリ。
【請求項２９】
前記保持器の前記フランジは、前記トーン・リング本体のラジアル・フランジと嵌合し、自動的に配置がきまり、自動的にセンタリングできる
ことを特徴とする請求項５に記載のトーン・リング・アッセンブリ。
【請求項３０】
前記保持器の前記フランジが、車軸の組み立て時に蓄積される軸の公差を許容できる
ことを特徴とする請求項５に記載のトーン・リング・アッセンブリ。
【請求項３１】
前記保持器は、二つのラジアル・フランジを有し、トーン・リング全体の軸方向の幅をカバーでき、前記保持器は、その軸方向長さの少なくともある部分にセンサーを受容するための開口部を有している
ことを特徴とする請求項１に記載のトーン・リング・アッセンブリ。
【請求項３２】
回転する機械部品に取り付けて使用するトーン・リング・アッセンブリであって、
前記アッセンブリは、回転によって電圧出力を発生させることができる回転可能なトーン・リングと、前記トーン・リングと近接した位置であるが離れた場所に、向かい合うよう配置された磁気センサー・アッセンブリがあり、
前記回転する機械部品は、軸方向内側部分と軸方向外側部分があり、周りを取り巻く軸受装置の中で動くようになっており、
オイルのもれは、オイルシールによって防護されるようになっており、
前記トーン・リングは、回転により電圧出力を発することができる複数のランド部と溝の付帯した軸方向に伸びる本体部分を有し、
前記トーン・リングの一方の端には半径方向外側に突出するフランジを有し、
前記トーン・リングが軸方向に大幅に移動することを阻止するための保持器があり、
その保持器には、軸方向内側と外側にラジアル・フランジがあり、
前記トーン・リングの前記半径方向外側に突出するフランジと、前記保持器の軸方向外側のラジアル・フランジとの間にスペーサーがあり、
前記トーン・リングには前記車軸をしっかりと嵌合するための直径が小さくなった軸方向に伸びる複数のリブが内径部にあり、
前記リブの間には、軸方向の直径がより大きくなったスペースがあり、それがオイルの通路となり、オイルが前記トーン・リングを軸方向に貫通できるようになっている
ことを特徴とするトーン・リング・アッセンブリ。
【請求項３３】
前記トーン・リング本体には、前記フランジと前記本体の残りの部分の間に溝が１本あって、前記溝は、前記保持器の前記ラジアル・フランジを受容し、前記本体の軸方向の移動を阻止する
ことを特徴とする請求項３２に記載のトーン・リング・アッセンブリ。
【請求項３４】
回転する機械部品に取り付けて使用するトーン・リング・アッセンブリであって、
前記アッセンブリは、回転によって電圧出力を発生させることができる回転可能なトーン・リングと、前記トーン・リングと近接した位置であるが離れた場所に、向かい合うよう固定された磁気センサー・アッセンブリがあり、
前記回転する機械部品は、軸方向内側部分と軸方向外側部分があり、周りを取り巻く軸受装置の中で動くようになっており、
オイルのもれは、オイルシールによって防護されるようになっており、
前記トーン・リングは、回転により電圧出力を発することができる複数のランド部と溝を付帯した軸方向に伸びる本体部分を有し、
前記トーン・リングの一方の端には半径方向に突出するフランジを有し、
前記トーン・リングが軸方向に大幅に移動することを阻止するための保持器は、半径方向内側と外側にラジアル・リングを有し、
前記トーン・リングは、前記トーン・リングに沿って軸方向にオイルが通過できるような手段及び車軸上に前記トーン・リングが配置された状態で車軸を嵌合するような手段を有し、
前記嵌合手段は前記車軸と前記トーン・リングが油のある状態にさらされると、さらに強く密着するようにするものである
ことを特徴とするトーン・リング・アッセンブリ。
【請求項３５】
前記トーン・リングの前記本体部分と、前記保持器の寸法は、前記保持器が、アプリケーションカウンターボアに装着された後、前記本体部分が前記保持器に支持され、その内径部に空洞があり、車軸は、その中を貫通して挿入するようになっており、別段追加の手段なしに車軸との配置が決まるようになっている
ことを特徴とする請求項３２に記載のトーン・リング・アッセンブリ。
【請求項３６】
装着時に前記保持器の前記フランジは、アクスル・クリップを露出することができるように前記本体が軸方向内側一方向に移動することを可能にし、かつ、反対方向に移動し、前記スペーサーを通じて、前記もうひとつのラジアル・フランジと嵌合する位置まで移動できるようにしてある
ことを特徴とする請求項３２に記載のトーン・リング・アッセンブリ。
【請求項３７】
前記トーン・リング本体は、粉末金属素材でつくられており、前記本体は、前記トーン・リング本体を構成する材料とは違った素材で作られたラジアル・フランジを含む
ことを特徴とする請求項１に記載のトーン・リング。
【請求項３８】
前記トーン・リング本体は、粉末金属素材で作られており、前記ラジアル・フランジは、打ち抜き型で圧断された鋼鉄で作られている
ことを特徴とする請求項３７に記載のトーン・リング。
【請求項３９】
前記トーン・リング本体は、粉末金属素材で作られており、前記ラジアル・フランジは、プラスチック素材でできている
ことを特徴とする請求項３７に記載のトーン・リング。
【請求項４０】
より小さい直径を構成する上記軸方向に伸びるリブのうち少なくともひとつは、第１の部分と第２の部分を有し、前記第２の部分は、直径をさらに小さくし、取り付け当初はこの部分だけで前記軸に接するようにしてあり、前記第１の部分は、その後オイルとグリースに接触した後に膨張するように調整されており、前記軸をしっかりと把持する
ことを特徴とする請求項１に記載のトーン・リング・アッセンブリ。
【請求項４１】
前記少なくともひとつのリブが、複数のリブである
ことを特徴とする請求項４０に記載のトーン・リング・アッセンブリ。
【請求項４２】
３つに１つのリブが、前記第２の部分を有している
ことを特徴とする請求項４０に記載のトーン・リング・アッセンブリ。
【請求項４３】
前記軸方向に伸びるリブの少なくともひとつが、前記軸に向かい合う部分があり、前記部分が、多数の凸凹を有し、従って、潤滑油のための多数のポケットを有する
ことを特徴とする請求項１に記載のトーン・リング・アッセンブリ。
【請求項４４】
前記少なくともひとつのリブが、複数のリブである
ことを特徴とする請求項４３に記載のトーン・リング・アッセンブリ。
【請求項４５】
少なくともひとつのリブが、型に流しこみ固めることで形成されており、放電加工または化学エッチングにより凹凸のある表面を有している
ことを特徴とする請求項４４に記載のトーン・リング・アッセンブリ。
【請求項４６】
前記少なくともひとつのリブが、複数のリブである
ことを特徴とする請求項４５に記載のトーン・リング・アッセンブリ。